(57)【要約】【課題】嵌合構造を有し、外面にモルタル目地のない構造物を容易に構成可能な連通空隙を有する緑化ブロックを提供することである。【解決手段】多数の連通空隙を備えたブロック内に、植物を育む培地を収容する空間が形成されており、前記ブロックは、隣接する別の前記ブロックと上下及び左右に互いに嵌合可能な凸部と凹部とを備えるようにした。また、前記空間に収容された培地で育まれた植物が、前記ブロックの上面から繁殖または内側から外側へ繁殖してブロックを覆い、ブロックの緑化を図るようにした。さらに、花卉植物が生育可能にブロック側面に開口部を備えた。前記ブロック同士を嵌合させる際に、両ブロック間のモルタル目地を外面に形成することなくブロック内側でモルタルにより前記凸部と凹部とを接着可能にした。【選択図】  図１
2004147553.tif 000002
【特許請求の範囲】
【請求項１】
多数の連通空隙を備えたブロック内に、植物を育む培地を収容する空間が形成されており、前記ブロックは、隣接する別の前記ブロックと上下及び左右に互いに嵌合可能な凸部と凹部とを備えていることを特徴とする緑化ブロック。
【請求項２】
前記空間に収容された培地で育まれた植物が、前記ブロックの上面から繁殖または内側から外側へ繁殖してブロックを覆い、ブロックの緑化を図る請求項１に記載の緑化ブロック。
【請求項３】
花卉植物が生育可能にブロック側面に開口部を備えた請求項１又は請求項２のいずれかに記載の緑化ブロック。
【請求項４】
前記ブロック同士を嵌合させる際に、両ブロック間のモルタル目地を外面に形成することなくブロック内側でモルタルにより前記凸部と凹部とを接着可能にした請求項１に記載の緑化ブロック。
【発明の詳細な説明】
【０００１】
【発明の属する技術分野】
本発明は、緑化を図った建築物の壁面及び塀又は植樹帯及び花壇を提供することができる緑化ブロックに関するものである。
【０００２】
【従来の技術】
従来の建築用ブロックは、複数個を積み重ねて構造物を構築する際に、相対的な位置決めが行いにくく、これを解消する発明として例えば特許文献１（積みブロック）がある。この特許文献１には、上下及び水平のいずれの方向にも係合部１，２を係合させて積み重ねることができる構成が記載されているものの、ブロック自体が緑化される構造とはなっていない。
【０００３】
一方、緑化を図ることができるコンクリートブロックが特許文献２（コンクリートブロック及びその緑化方法）、特許文献３（緑化塀および緑化塀用コンクリートブロック）に開示されている。
【０００４】
この特許文献２に開示されているコンクリートブロックは、ポーラスコンクリートに培養土壌材なるものを散布して植物の育成を促すようになっており、水平方向に複数個を連接配置することはできるが上下方向への安定した積層配置は困難である。また、植物は、種子状のものをコンクリート表面から吹き付けて供給しなければならず、植物の生育の仕方に差異が生じて一様に緑化することも困難である。
【０００５】
特許文献３に開示されている緑化塀用コンクリートブロックでは、コンクリートブロック本体に貫通孔が設けてあり、この貫通孔内に第一筒体、第二筒体を介して植栽基材を配置し、この植栽基材で緑化を図っている。ブロック本体は、上下及び左右の隣接する他のブロック本体と嵌合構造によって結合されておらず、積層する際にはモルタルが硬化するまで不安定であり、また、植物の生育範囲が植栽基材内に限定されて緑化塀全体の緑化が図れず、さらに植栽基材が筒状であるため、植物に必要な通気性を確保することが困難である。
【０００６】
【特許文献１】
特開２００２−１２１８４６公報
【特許文献２】
特開平８−２４５２４９号公報
【特許文献３】
特開平１０−１１７５９７号公報
【０００７】
【発明が解決しようとする課題】
本発明では、嵌合構造により上下左右にブロックの組合せを容易に行うことができ、外面に目地モルタルを構成せず、ブロックの空隙及び上部から植物が生育し緑化を図ることができる緑化ブロックを提供することを課題としている。
【０００８】
【課題を解決するための手段】
上記課題を解決するため、請求項１の発明では、多数の連通空隙を備えたブロック内に、植物を育む培地を収容する空間が形成されており、前記ブロックは、隣接する別の前記ブロックと上下及び左右に互いに嵌合可能な凸部と凹部とを備えるようにした。
請求項２の発明は請求項１の発明において、前記空間に収容された培地で育まれた植物が、前記ブロックの上面から繁殖または内側から外側へ繁殖してブロックを覆い、ブロックの緑化を図るようにした。
請求項３の発明は請求項１又は請求項２の発明において、花卉植物が生育可能にブロック側面に開口部を備えるようにした。
請求項４の発明では請求項１の発明において、前記ブロック同士を嵌合させる際に、両ブロック間のモルタル目地を外面に形成することなくブロック内側でモルタルにより前記凸部と凹部とを接着可能にした。
【０００９】
【発明の実施の形態】
図１は、本発明を実施した１２ピースの緑化ブロック１ａ（以下ブロック１ａと呼ぶ）、及び６ピースのブロック２３で構築した塀１００の斜視図である。
【００１０】
図１に示すように塀１００は、上段から下段へブロック１ａ、ブロック２３、ブロック１ａ、ブロック１ａ、ブロック２３、ブロック１ａの順に配置されている。図１において前方と後方とを矢印で示すように便宜上規定する。塀１００を構成するブロック１ａとブロック２３のうち、右上のブロック１ａのみを説明の都合上塀１００から外して描いてある。
【００１１】
ブロック１ａ及びブロック２３は、それぞれポーラスコンクリートで形成されている。以下、ブロック１ａ、ブロック２３の順にそれぞれの構成を説明する。
【００１２】
ブロック１ａの内部には、植物を育む培地を収容する空間１０が形成されている。空間１０はブロック１ａを上下に貫通する貫通孔となっており、空間１０の上部開口は、上方から配置される別のブロック１ａ（又はブロック２３）の前後方向に延びる突起１１（１１ｃ）と嵌合可能であり、また、空間１０の内部には補強用の仕切７が突起１１（１１ｃ）と干渉しない高さに設けてある。空間１０への培地の充填は直に行ってもよいが、予め袋詰めするか不織布ややしがら等を空間１０内に配置するようにしてもよい。
【００１３】
図１に示すようにブロック１ａの前部には、上下方向に延びる突起２が形成されている。突起２には、上下方向（突起２の長手方向）に延びるくぼみ４が形成されている。また、ブロック１ａの後部には、後方に配置される別のブロック１ａの突起２と嵌合する凹部３が形成されている。
【００１４】
図２は、ブロック２３の斜視図である。図２に示すようにブロック２３の上部には、前後方向に延びる２つの突起１６ａが形成されている。２つの突起１６ａの間にはくぼみ１６が形成されている。また、ブロック２３の前部には中央にくぼみ４ｃを備えた突起２ｃが形成されており、後部には後方に配置される別のブロック２３の突起２ｃと嵌合する凹部３ｃが形成されている。
【００１５】
図３は塀１００の平面略図である。図３に示すようにブロック１ａ同士は、一方のブロック１ａの突起２と他方のブロック１ａの凹部３とが嵌合し、かつ両者の間で形成した隙間１７内のモルタルを固化させて固着している。ブロック２３もブロック１ａと同様に、それぞれ水平方向に固着される。
【００１６】
一方のブロック１ａの突起２と他方のブロック１ａの凹部３の間に形成された隙間１７にモルタルを盛ることにより、外面にモルタル目地を作ることなく２つのブロック１ａを接合することができる。また、ブロック１ａ同士を、モルタルなしで堅固に結合可能に、突起２と凹部３とを構成してもよい。
【００１７】
図３に示すように水平方向に隣接するブロック１ａの間には上下方向に延びる空間６が形成される。同様に、水平方向に隣接するブロック２３の間にも上下方向に延びかつ空間６と連通する空間（図示せず）が形成される。ここでは、この空間６と連通する上下方向に延びる空間を空間６をも含めて以下便宜上空間６と呼ぶことにする。
【００１８】
空間６には、塀１００の鉛直方向の強度を保つ鉄筋５が配筋され、鉄筋５は空間６内でモルタルにより塀１００に対して一体固着される。図１に示すように、塀１００は水平方向に３つのブロック１ａ（ブロック２３も同様）が固着されるので、２本の鉄筋５が配筋される。
【００１９】
鉄筋５は、例えば水平距離８０ｃｍ程度の間隔で配置され、ブロック１ａのサイズが小さければ、鉄筋５が配筋される空間６とモルタルのみが充填される空間６とが存在しうる。
【００２０】
図４は、塀１００の前方側面略図である。ブロック２３の上方に配置されるブロック１ａの突起１１は、ブロック２３の２つの突起１６ａの間のくぼみ１６内に収容され、ブロック１ａの下面８にブロック２３の突起１６ａが当接し、両ブロックの間に生じた隙間１８に盛られたモルタルが固化することにより両者は一体固着される。
【００２１】
隙間１８にモルタルを盛ることにより、外面にモルタル目地を作ることなくブロック１ａとブロック２３とを接合することができる。
【００２２】
両者を固着した際、ブロック１ａの空間１０と連通するブロック２３のくぼみ１６には、水平方向に延びる空間９（図１、図４）が形成される。この空間９内には鉄筋２０が配筋され、鉄筋２０は空間９内でモルタルにより塀１００に一体固着され塀１００の水平方向の強度を向上させる。
【００２３】
また、ブロック２３の下方に配置されるブロック１ａの空間１０（図示せず）の上部開口にブロック２３の突起１１ｃが嵌合し、仕切７と突起１１ｃの間に隙間１９が形成され、この隙間１９にモルタルが盛られ、外面にモルタル目地を作ることなく両者は堅固に固着される。
【００２４】
図４に示すようにブロック１ａ同士を上下に結合すると、上方のブロック１ａの突起１１が下方のブロック１ａの空間１０の上部開口に嵌合し、上方のブロック１ａの突起１１と下方のブロック１ａの仕切７の間に隙間１７ａが形成される。
【００２５】
この隙間１７ａにモルタルが盛られ、上下に結合された２つのブロック１ａは、外面にモルタル目地を作ることなく堅固に固着される。
【００２６】
図１に示す塀１００には上述の鉄筋２０が２本設けてある。２本の鉄筋２０の配置間隔は距離Ｈであるが、距離Ｈは建築物の構造細目で規定された許容寸法の範囲内に設定されており、例えばＨ＝４０〜８０ｃｍ程度とすることができる。
【００２７】
以上のようにして形成された塀１００では、ブロック１ａ内の空間１０に収容された培地で育まれた植物が、各ブロック１ａ及びブロック２３のポーラスブロック面から外部へと繁殖し、又は最上段のブロック１ａの上方から繁殖し、塀１００は良好に緑化される。
【００２８】
図５は、図１の塀１００とは別の請求項３の発明を実施した緑化ブロックで構成した塀１１０の斜視図である。塀１１０では、上段から下段へブロック１ａ、ブロック２３、ブロック２２（後述）、ブロック１ａ、ブロック２３、ブロック２２（後述）、ブロック１ａの順に配置されている。
【００２９】
図６はブロック２２の斜視図である。ブロック２２の構成は、図１のブロック１ａの側面１５に孔１３（開口部）を設けた点以外はブロック１ａの構成と同じであり、ブロック１ａの突起２、凹部３、空間１０及び突起１１に対応して、ブロック２２には突起２ａ、凹部３ａ、空間１０ａ及び突起１１ａが設けてある。
【００３０】
このようなブロック２２、ブロック２３及びブロック１ａから構成された塀１１０は、ブロック２２の孔１３を介して塀１１０の側面から花卉植物を植栽することができる。
【００３１】
ブロック１ａ（ブロック２３、２２も同じ）は、全体をポーラスコンクリート構造とせず、例えば図１、図５の紙面の手前側（表面側）のみをポーラス構造とし、裏面側を通常のコンクリート構造としてもよい。この場合、植物は、裏面側からは表面に出ず、表面側からのみ露出する。
【００３２】
したがって、塀１００（塀１１０も同じ）の片面のみの緑化が必要な場合に有効である。ブロック１ａ等は、建築物の外郭型枠として使用することもできる。この場合、外殻型枠は建築物本体を補強し、かつ壁面の緑化を図ることができる。
【００３３】
ブロック１ａ（ブロック２３、２２も同じ）の厚みを厚くしてブロック１ａの構造を強化し、ポーラスコンクリートの空隙を大きく設定すると、ブロック１ａの強度を確保することができると同時に植物はブロック１ａを貫通して露出し易くなる。
【００３４】
また、ブロック１ａ（ブロック２３、２２も同じ）内に鉄筋を配置して、各ブロック１ａ（ブロック２３、２２）の構造を強化すると、大断面の構造物（大型の構造物）を構築することが容易になる。
【００３５】
例えばポーラスコンクリートは、１０〜２０ｍｍ位の大きさの骨材を使用し、空間１０と外部とを仕切る壁の肉厚を２〜３ｃｍ程度に設定すると、強度を確保しながら緑化が図り易くなる。
【００３６】
通常（従来）のブロックの幅Ｗ（図４）は、大きくても１５ｃｍ程度であるが、本発明のブロック１ａ（ブロック２３、２２も同じ）は、１８〜２０ｃｍ程度に設定し、空隙の多いブロック１ａの強度を確保するのが好ましい。各ブロック１ａ、２２の形状は、略直方体形状となっているが、用途、目的に応じて任意に形成することができる。
【００３７】
上述の例では、ブロック１ａはポーラスコンクリートで形成する例を示したが、ポーラスコンクリートの代わりに、砕石や玉石、プラスチック片、ガラス片、籾殻又は貝殻等の固形物（骨材）をエポキシ系のセラミックス繊維が混入した繊維化合成樹脂で空隙が形成されるように硬化して製造した素材を用いることもできる。
【００３８】
ブロック１ａ、２２は、建築物の壁面や塀のみでなく、公園や植樹帯、花壇の縁石として用いることも可能である。
【００３９】
【発明の効果】
請求項１及び請求項２の発明では、多数の連通空隙を備えたブロック１ａ内に、植物を育む培地を収容する空間１０を形成し、このブロック１ａを隣接する別のブロック１ａと上下及び左右に互いに嵌合可能な凸部である突起２（突起１１）と凹部３（空間１０）とを備えるようにしたので、複数のブロック１ａ（ブロック２３、２２も同様）を連結し、従来は困難であった上下方向への安定した積層配置が可能となり、構造物（例えば図１の塀１００）を容易に構築することができる。
【００４０】
さらにブロック１ａ内に収容した培地で育まれた植物がブロック１ａの上面（空間１０の上部）及び表面（側面）から露出することにより良好に緑化を図ることができる。
【００４１】
ブロック１ａ、２２及び２３は、多数の連通空隙を有しているので、軽量で扱い易く、さらに空間１０に収容した培地の通気性が良好になり、培地が酸欠状態となることを回避することができ、植物の根のストレスによる根巻を防止することができ、植物の生育環境を良好に保つことができる。
【００４２】
請求項３の発明では、ブロック２２の側面に孔１３を設けたので従来は容易に植栽できなかった花卉植物をブロック２２の側面から植栽することができる。
【００４３】
請求項４の発明では、一方のブロック１ａの突起２（凸部）と他方のブロック１ａの凹部３とを噛み合わせる際（一方のブロック１ａの突起１１と他方のブロック１ａの空間１０の上部開口等を噛み合わせる際も同じ）に、ブロック内側でモルタル接合でき、外側にモルタル目地を作らずに済み、美感に優れた構造物を構築する緑化ブロックを提供することができる。
【図面の簡単な説明】
【図１】本発明を実施した緑化ブロックで構築した塀の斜視図である。
【図２】塀内部に水平方向に伸びる鉄筋を配置するためのブロックの斜視図である。
【図３】図１の塀の平面略図である。
【図４】図１の塀の前方側面略図である。
【図５】図１とは別の本発明を実施した緑化ブロックで構築した塀の斜視図である。
【図６】図１とは別の本発明を実施した緑化ブロックの斜視図である。
【符号の説明】
１ａ    緑化ブロック
２、２ａ  それぞれ緑化ブロック１ａ、２２の前方側の突起（凸部）
２ｃ    配筋用のブロック２３の前方側の突起
３、３ａ  それぞれ緑化ブロック１ａ、２２の後方側の凹部
４、４ａ  それぞれ突起２、２ａの中央部分に設けたくぼみ
４ｃ    突起２ｃの中央部分に設けたくぼみ
５    鉛直方向の鉄筋
６    鉛直方向の配筋用の空間
９    水平方向の配筋用の空間
１０、１０ａ  それぞれ緑化ブロック１ａ、２２内の空間（凹部）
１１、１１ａ  それぞれ緑化ブロック１ａ、２２の下部の突起（凸部）
１３    緑化ブロック２２の側面に設けた孔（開口部）
１４    緑化ブロック１ａの突起１１の中央に設けた凹部
２０    水平方向の鉄筋
２２    緑化ブロック
２３    配筋用のブロック
１００、１１０  塀
【図１】
2004147553.tif 000003
【図２】
2004147553.tif 000004
【図３】
2004147553.tif 000005
【図４】
2004147553.tif 000006
【図５】
2004147553.tif 000007
【図６】
2004147553.tif 000008